(57)【要約】【課題】特定の金種の貨幣が数多く出金される場合でも貨幣処理機の内部に収納されている当該金種の貨幣が不足してしまうことを防止することができる貨幣処理機を提供する。【解決手段】貨幣処理機１０は、貨幣の入金処理および出金処理を行う本体側貨幣処理ユニット（具体的には、紙幣処理装置２０、硬貨処理装置３０および貨幣収納部４０）を備えており、少なくとも貨幣の出金処理を行う追加の貨幣処理ユニット（具体的には、追加の硬貨処理装置３０ａおよび追加の貨幣収納部４０ａ）を増設可能となっている。【選択図】図１
2018049456.tif 000002
【特許請求の範囲】
【請求項１】
貨幣の入金処理および出金処理を行う本体側貨幣処理ユニットを備えた貨幣処理機であって、
少なくとも貨幣の出金処理を行う追加の貨幣処理ユニットを増設可能となっている、貨幣処理機。
【請求項２】
前記本体側貨幣処理ユニットは、紙幣および硬貨のうち少なくとも硬貨の入金処理および出金処理を行うようになっており、
前記追加の貨幣処理ユニットは、貨幣の入金処理も行うようになっており、少なくとも硬貨の入金処理および出金処理を行うようになっている、請求項１記載の貨幣処理機。
【請求項３】
前記追加の貨幣処理ユニットが増設されている場合における、前記本体側貨幣処理ユニットおよび増設された前記追加の貨幣処理ユニットの優先順位を設定する優先順位設定手段を更に備えた、請求項２記載の貨幣処理機。
【請求項４】
貨幣の入金処理時に、前記本体側貨幣処理ユニットおよび増設された前記追加の貨幣処理ユニットのうち前記優先順位設定手段により設定された優先順位の低い貨幣処理ユニットに先に貨幣を入金するよう操作者を導くための誘導手段を更に備えた、請求項３記載の貨幣処理機。
【請求項５】
操作者に対して報知を行うための報知手段を更に備え、
前記誘導手段は、前記報知手段によって操作者に対して報知を行うことにより当該操作者を導くようになっている、請求項４記載の貨幣処理機。
【請求項６】
前記報知手段は、貨幣の入金処理時に、前記優先順位設定手段による設定に基づいて決められる貨幣が入金されるべき貨幣処理ユニットとは異なる貨幣処理ユニットに貨幣が入金された場合に、貨幣が入金されるべき貨幣処理ユニットに係る情報を操作者に報知するようになっている、請求項５記載の貨幣処理機。
【請求項７】
前記本体側貨幣処理ユニットおよび増設された前記追加の貨幣処理ユニットはそれぞれ貨幣の投入口を開閉するための開閉部材を有しており、
前記誘導手段は、前記本体側貨幣処理ユニットおよび増設された前記追加の貨幣処理ユニットのうち前記優先順位設定手段により設定された優先順位の低い貨幣処理ユニットの前記投入口に対応する前記開閉部材に先に開くようになっている、請求項４記載の貨幣処理機。
【請求項８】
貨幣の出金処理時に、前記本体側貨幣処理ユニットおよび増設された前記追加の貨幣処理ユニットのうち前記優先順位設定手段により設定された優先順位の高い貨幣処理ユニットから先に貨幣が出金されるようになっている、請求項３乃至７のいずれか一項に記載の貨幣処理機。
【請求項９】
前記本体側貨幣処理ユニットおよび増設された前記追加の貨幣処理ユニットは、それぞれ、貨幣を金種毎に収納するとともに収納されている貨幣を繰り出す複数の収納繰出部および回収されるべき貨幣が収納される回収部を有しており、
前記回収部に収納されている貨幣の回収処理時に、前記本体側貨幣処理ユニットおよび増設された前記追加の貨幣処理ユニットのうち前記優先順位設定手段により設定された優先順位の高い貨幣処理ユニットの各前記収納繰出部から前記回収部に売上金分の貨幣が優先的に送られるようになっている、請求項３乃至８のいずれか一項に記載の貨幣処理機。
【請求項１０】
前記本体側貨幣処理ユニットの前記回収部および増設された前記追加の貨幣処理ユニットの前記回収部について異なる管理権限を設定することができるようになっている、請求項９記載の貨幣処理機。
【請求項１１】
前記本体側貨幣処理ユニットの前記回収部および増設された前記追加の貨幣処理ユニットの前記回収部について一方の前記回収部に対して回収業者側の管理権限を設定するとともに他方の前記回収部に対して店舗側の管理権限を設定することができるようになっている、請求項１０記載の貨幣処理機。
【請求項１２】
前記本体側貨幣処理ユニットの前記回収部および増設された前記追加の貨幣処理ユニットの前記回収部のうち店舗側の管理権限が設定されている前記回収部に収納されている貨幣に係る情報を出力する情報出力部を更に備えた、請求項１１記載の貨幣処理機。
【発明の詳細な説明】
【技術分野】
【０００１】
本発明は、紙幣や硬貨等の貨幣の処理を行う貨幣処理機に関する。
【背景技術】
【０００２】
従来から、店舗等において売上金等の貨幣の入金処理、釣銭準備金等の貨幣の出金処理、および回収業務を行う回収業者へ売上金等の貨幣を引き渡す引渡処理等を行う貨幣処理機が知られている。このような貨幣処理機は、貨幣の収納を行う貨幣収納部と、筐体の外部から内部に取り込まれた貨幣を一時的に収納するとともに、この収納された貨幣または筐体の外部から内部に取り込まれた貨幣を貨幣収納部に送ったり筐体の外部に返却したりする貨幣リサイクル処理部とを備えている。貨幣リサイクル処理部に収納された貨幣（上部の貨幣）と、貨幣収納部に収納された貨幣（下部の貨幣）の管理権限は区別されており、前者の管理権限は貨幣処理機に対して入金処理や出金処理を行う店舗側にあり、後者の管理権限は貨幣処理機から紙幣の回収を行う回収業者側にある。よって、貨幣処理機の上部の貨幣に対する入金処理、出金処理、引渡処理等の操作や、上部の貨幣の入出金情報や在高データへのアクセスは店舗側の権限のある操作者のみが行うことができ、一方、貨幣処理機の下部の貨幣の回収は回収業者側の収集特定者のみが行うことができるようになる。ここで、在高データとは、貨幣処理機に収納されている貨幣の金種毎の枚数または合計金額、もしくは金種毎の金額のデータのことをいう。このような貨幣処理機としては、例えば特許文献１に開示されるものが知られている。
【先行技術文献】
【特許文献】
【０００３】
【特許文献１】特開２０１０−２２４６０５号公報
【発明の概要】
【発明が解決しようとする課題】
【０００４】
特許文献１等に開示される貨幣処理機が例えば宅配ドライバーにより使用される場合には、宅配物を届ける際に当該宅配物の代金を受領したときに備えて代引引換用の釣銭としての貨幣を貨幣処理機から出金させていた。このような代引引換用の釣銭としての貨幣としては、決まった金種毎の枚数のパターンがあるが、硬貨については金種毎の枚数のパターンに偏りがある。すなわち、代引引換用の釣銭としての貨幣を当該貨幣処理機から出金させる際に、特定の金種の硬貨が数多く出金されるようになる。このため、貨幣処理機の貨幣リサイクル処理部に収納されている当該金種の硬貨が不足してしまうことを防止するために、硬貨の入金処理や出金処理を行う追加のユニットを貨幣処理機に増設することが望まれている。
【０００５】
本発明は、このような点を考慮してなされたものであり、特定の金種の貨幣が数多く出金される場合でも貨幣処理機の内部に収納されている当該金種の貨幣が不足してしまうことを防止することができる貨幣処理機を提供することを目的とする。
【課題を解決するための手段】
【０００６】
本発明の貨幣処理機は、貨幣の入金処理および出金処理を行う本体側貨幣処理ユニットを備えた貨幣処理機であって、少なくとも貨幣の出金処理を行う追加の貨幣処理ユニットを増設可能となっていることを特徴とする。
【０００７】
このような貨幣処理機によれば、本体側貨幣処理ユニットに、少なくとも貨幣の出金処理を行う追加の貨幣処理ユニットを増設可能となっているため、特定の金種の貨幣が数多く出金される場合でも貨幣処理機の内部に収納されている当該金種の貨幣が不足してしまうことを防止することができる。
【０００８】
本発明の貨幣処理機においては、前記本体側貨幣処理ユニットは、紙幣および硬貨のうち少なくとも硬貨の入金処理および出金処理を行うようになっており、前記追加の貨幣処理ユニットは、貨幣の入金処理も行うようになっており、少なくとも硬貨の入金処理および出金処理を行うようになっていてもよい。
【０００９】
本発明の貨幣処理機は、前記追加の貨幣処理ユニットが増設されている場合における、前記本体側貨幣処理ユニットおよび増設された前記追加の貨幣処理ユニットの優先順位を設定する優先順位設定手段を更に備えていてもよい。
【００１０】
この場合、本発明の貨幣処理機は、貨幣の入金処理時に、前記本体側貨幣処理ユニットおよび増設された前記追加の貨幣処理ユニットのうち前記優先順位設定手段により設定された優先順位の低い貨幣処理ユニットに先に貨幣を入金するよう操作者を導くための誘導手段を更に備えていてもよい。
【００１１】
また、本発明の貨幣処理機は、操作者に対して報知を行うための報知手段を更に備え、前記誘導手段は、前記報知手段によって操作者に対して報知を行うことにより当該操作者を導くようになっていてもよい。
【００１２】
この場合、前記報知手段は、貨幣の入金処理時に、前記優先順位設定手段による設定に基づいて決められる貨幣が入金されるべき貨幣処理ユニットとは異なる貨幣処理ユニットに貨幣が入金された場合に、貨幣が入金されるべき貨幣処理ユニットに係る情報を操作者に報知するようになっていてもよい。
【００１３】
あるいは、前記本体側貨幣処理ユニットおよび増設された前記追加の貨幣処理ユニットはそれぞれ貨幣の投入口を開閉するための開閉部材を有しており、前記誘導手段は、前記本体側貨幣処理ユニットおよび増設された前記追加の貨幣処理ユニットのうち前記優先順位設定手段により設定された優先順位の低い貨幣処理ユニットの前記投入口に対応する前記開閉部材に先に開くようになっていてもよい。
【００１４】
本発明の貨幣処理機においては、貨幣の出金処理時に、前記本体側貨幣処理ユニットおよび増設された前記追加の貨幣処理ユニットのうち前記優先順位設定手段により設定された優先順位の高い貨幣処理ユニットから先に貨幣が出金されるようになっていてもよい。
【００１５】
本発明の貨幣処理機においては、前記本体側貨幣処理ユニットおよび増設された前記追加の貨幣処理ユニットは、それぞれ、貨幣を金種毎に収納するとともに収納されている貨幣を繰り出す複数の収納繰出部および回収されるべき貨幣が収納される回収部を有しており、前記回収部に収納されている貨幣の回収処理時に、前記本体側貨幣処理ユニットおよび増設された前記追加の貨幣処理ユニットのうち前記優先順位設定手段により設定された優先順位の高い貨幣処理ユニットの各前記収納繰出部から前記回収部に売上金分の貨幣が優先的に送られるようになっていてもよい。
【００１６】
この場合、前記本体側貨幣処理ユニットの前記回収部および増設された前記追加の貨幣処理ユニットの前記回収部について異なる管理権限を設定することができるようになっていてもよい。
【００１７】
また、前記本体側貨幣処理ユニットの前記回収部および増設された前記追加の貨幣処理ユニットの前記回収部について一方の前記回収部に対して回収業者側の管理権限を設定するとともに他方の前記回収部に対して店舗側の管理権限を設定することができるようになっていてもよい。
【００１８】
また、本発明の貨幣処理機は、前記本体側貨幣処理ユニットの前記回収部および増設された前記追加の貨幣処理ユニットの前記回収部のうち店舗側の管理権限が設定されている前記回収部に収納されている貨幣に係る情報を出力する情報出力部を更に備えていてもよい。
【発明の効果】
【００１９】
本発明の貨幣処理機によれば、特定の金種の貨幣が数多く出金される場合でも貨幣処理機の内部に収納されている当該金種の貨幣が不足してしまうことを防止することができる。
【図面の簡単な説明】
【００２０】
【図１】本発明の実施の形態による貨幣処理機の外観を示す斜視図である。
【図２】図１に示す貨幣処理機における紙幣処理装置の内部構成を示す構成図である。
【図３】図１に示す貨幣処理機における硬貨処理装置の内部構成を示す構成図である。
【図４】図１に示す貨幣処理機における制御系の構成を示す機能ブロック図である。
【図５】（ａ）〜（ｃ）は、図１に示す貨幣処理機の表示部に表示される画面を示す図である。
【発明を実施するための形態】
【００２１】
以下、図面を参照して本発明の実施の形態について説明する。図１乃至図５は、本実施の形態による貨幣処理機を示す図である。このうち、図１は、本実施の形態による貨幣処理機の外観を示す斜視図であり、図２および図３は、それぞれ、図１に示す貨幣処理機における紙幣処理装置および硬貨処理装置の内部構成を示す構成図である。また、図４は、図１に示す貨幣処理機における制御系の構成を示す機能ブロック図である。また、図５（ａ）〜図５（ｃ）は、図１に示す貨幣処理機の表示部に表示される画面を示す図である。本実施の形態による貨幣処理機は、例えば店舗等のバックヤード領域に設置されており、店舗等における売上金としての貨幣の入金処理や、釣銭準備金等の貨幣の出金処理、および回収業務を行う回収業者へ売上金等の貨幣を引き渡す引渡処理等を行うようになっている。
【００２２】
図１に示すように、本実施の形態による貨幣処理機１０は略直方体形状の筐体１１を備えており、この筐体１１の内部には、貨幣処理機１０を前方から見て上部において左右に並ぶよう配置された紙幣処理装置２０および硬貨処理装置３０が設けられている。ここで、紙幣処理装置２０および硬貨処理装置３０は、それぞれ、紙幣や硬貨の入金処理および出金処理を行うようになっている。また、貨幣処理機１０の筐体１１の内部において、紙幣処理装置２０および硬貨処理装置３０の下方には、硬貨および紙幣の収納を行う貨幣収納部４０が設けられている。ここで、貨幣処理機１０のうち、紙幣処理装置２０および硬貨処理装置３０は店舗側の管理権限下にある。また、本実施の形態では、貨幣収納部４０の管理権限を、店舗側の管理権限とするか回収業者側の管理権限とするかを選択することができるようになっている。また、本実施の形態による貨幣処理機１０では、硬貨の入金処理および出金処理を行う追加の硬貨処理装置３０ａおよび追加の貨幣収納部４０ａを増設可能となっている。ここで、貨幣処理機１０において追加の硬貨処理装置３０ａおよび追加の貨幣収納部４０ａが増設された場合、追加の硬貨処理装置３０ａは店舗側の管理権限下となり、一方、追加の貨幣収納部４０ａの管理権限については、店舗側の管理権限とするか回収業者側の管理権限とするかを選択することができるようになる。
【００２３】
本実施の形態では、紙幣処理装置２０、硬貨処理装置３０および貨幣収納部４０は、本体側貨幣処理ユニットとして機能し、追加の硬貨処理装置３０ａおよび追加の貨幣収納部４０ａは、本体側貨幣処理ユニットに増設される追加の貨幣処理ユニットとして機能するようになっている。
【００２４】
次に、本体側貨幣処理ユニットにおける紙幣処理装置２０、硬貨処理装置３０および貨幣収納部４０の詳細について説明する。
【００２５】
まず、紙幣処理装置２０の構成について図１および図２を用いて説明する。図２は、図１に示す紙幣処理装置２０の内部構成を右側から見たときの図である。なお、図２における筐体１１の左側の側面が紙幣処理装置２０の前面側（すなわち、紙幣処理装置２０を手前側から見たときの正面側）となっており、図２における右方向が筐体１１の奥行き方向となっている。
【００２６】
図１および図２に示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。
【００２７】
紙幣投入口２１は、操作者により１または束状態の複数の紙幣が短手方向に一括して投入されるよう構成されている。図１に示すように、この紙幣投入口２１には紙幣ステージ２８が配設されている。紙幣ステージ２８は、待機時には上昇位置にありこの際には操作者は紙幣投入口２１に紙幣を投入することができず、一方、紙幣の入金処理時や補充処理時には下降して操作者が紙幣投入口２１に紙幣を投入することができるように構成されている。また、図２に示すように、紙幣投入口２１は搬送部２５に接続されており、紙幣投入口２１に投入された１または束状態の複数の紙幣は、１枚ずつ搬送部２５に繰り出されて当該搬送部２５で搬送されるようになっている。また、紙幣リジェクト口２２は、図２に示すように搬送部２５に接続されており、紙幣投入口２１により紙幣処理装置２０内に取り込まれた紙幣のうち後述する識別部２６によりリジェクトすべき紙幣であると識別された紙幣や識別部２６で識別することができなかった紙幣が搬送部２５から送られるようになっている。操作者はこの紙幣リジェクト口２２に送られた紙幣を筐体１１の前面側から取り出すことができるようになっている。
【００２８】
紙幣返却口２３には、図２に示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣回収カセット４１（後述）に送られる場合もある。
【００２９】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図２に示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５には、当該搬送部２５で搬送される紙幣の識別を行う識別部２６が介設されている。この識別部２６は、搬送部２５で搬送される紙幣の金種、真偽、正損、表裏、新旧、搬送状態等を識別するようになっている。識別部２６による紙幣の識別結果は後述する制御部１５に送られるようになっている。
【００３０】
紙幣処理装置２０の内部には、リサイクル式紙幣収納部２７が複数（例えば３つ）並列に設けられている。ここで、複数のリサイクル式紙幣収納部２７ａ〜２７ｃは、概して金種毎に紙幣を一時的に収納するようになっている。図２に示すように、各リサイクル式紙幣収納部２７は、正逆両方向に回転可能なドラム２７ｐをそれぞれ有しており、各ドラム２７ｐに一対のテープが巻き取られるようになっている。搬送部２５から各リサイクル式紙幣収納部２７に送られた紙幣は、この一対のテープの間に挟まれた状態で１枚ずつ順次ドラム２７ｐにより巻き取られて収納される。また、ドラム２７ｐを逆転させると、巻き取られた紙幣が１枚ずつ搬送部２５に送られる。このように、各リサイクル式紙幣収納部２７は、紙幣を金種毎に収納するとともに収納されている紙幣を繰り出す収納繰出部として機能するようになる。なお、各リサイクル式紙幣収納部２７は、上述のような、ドラム２７ｐおよび一対のテープからなり紙幣が一対のテープの間に挟まれた状態でこの一対のテープごとドラム２７ｐにより巻き取られるような構成に限定されることはなく、他の構成とすることもできる。例えば、各リサイクル式紙幣収納部２７をスタッカ式（積層式）のものとしてもよい。
【００３１】
紙幣保留部２９は、前述のように紙幣返却口２３に設けられており、図２に示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。図２に示すように、紙幣保留部２９には一時保留板２９ａおよび押さえ部材２９ｂが設けられている。ここで、紙幣保留部２９にある紙幣を返却する場合には、前述のように、筐体１１の前面側における紙幣保留部２９の壁面が開いて、操作者は扉２４から紙幣を取り出すことができるようになっている。扉２４は、紙幣の取り出しが可能な状態になれば、自動的に開くようになっている。また、紙幣保留部２９に紙幣が保留される際に、紙幣は一時保留板２９ａに載せられるようになっており、紙幣保留部２９にある紙幣を紙幣回収カセット４１に収納させる際には、この紙幣回収カセット４１に設けられたステージ４１ａが紙幣保留部２９の一時保留板２９ａに載せられた紙幣を迎えにいき、一時保留板２９ａが図２の矢印方向に退避することにより紙幣をステージ４１ａ上に載せて紙幣保留部２９から紙幣回収カセット４１へ下降し、そしてステージ４１ａ上の紙幣を上から押さえ部材２９ｂで押さえて紙幣回収カセット４１へ収納するようになっている。
【００３２】
次に、硬貨処理装置３０の構成について図１および図３を用いて説明する。図３は、図１に示す硬貨処理装置３０の内部構成を右側から見たときの図である。なお、図３における筐体１１の左側の側面が硬貨処理装置３０の前面側（すなわち、硬貨処理装置３０を手前側から見たときの正面側）となっており、図３における右方向が筐体１１の奥行き方向となっている。
【００３３】
図１および図３に示すように、硬貨処理装置３０は、当該硬貨処理装置３０内への硬貨の取り込みを行う硬貨投入口３１と、硬貨投入口３１により硬貨処理装置３０内へ取り込まれた硬貨を１枚ずつ繰り出す硬貨繰出部３３と、硬貨繰出部３３により繰り出された硬貨を硬貨処理装置３０内で１枚ずつ搬送する搬送部３５と、硬貨処理装置３０内に取り込まれた硬貨のうち偽貨や識別不能な硬貨等のリジェクトを行う硬貨リジェクト口３２とを備えている。
【００３４】
硬貨投入口３１は、操作者により１または複数の硬貨が一括して投入されるよう構成されている。また、図１に示すように、硬貨投入口３１には、当該硬貨投入口３１の開閉を行う開閉部材としてシャッタ３１ａが設けられており、シャッタ３１ａにより硬貨投入口３１が開かれた場合においてのみ当該硬貨投入口３１に硬貨を投入することができるようになっている。また、硬貨投入口３１の下方には、ホッパ等から構成される硬貨繰出部３３が設けられており、硬貨投入口３１に投入された硬貨は自重により落下して硬貨繰出部３３に貯留されるようになっている。また、硬貨繰出部３３は、当該硬貨繰出部３３に貯留されている硬貨を１枚ずつ搬送部３５に繰り出すようになっている。
【００３５】
搬送部３５は、硬貨繰出部３３から繰り出された硬貨を１枚ずつ図３における右方向に搬送するようになっている。また、搬送部３５には、上流側から順に、搬送部３５で搬送される硬貨の識別を行う識別部３５ａ、識別部３５ａにより偽貨や識別不能な硬貨等であると識別された硬貨を選別するリジェクト選別部３５ｂ、識別部３５ａにより識別された硬貨の金種に対応する、後述するリサイクル式硬貨収納部３４がフル状態またはニアフル状態である場合に当該硬貨を選別するオーバーフロー選別部３５ｃ、および硬貨を金種毎に選別する選別部３６がそれぞれ設けられている。識別部３５ａは、搬送部３５で搬送される硬貨の金種、真偽、正損、表裏、新旧、搬送状態等を識別するようになっている。識別部３５ａによる硬貨の識別結果は後述する制御部１５に送られるようになっている。また、リジェクト選別部３５ｂは、識別部３５ａにより偽貨や識別不能な硬貨等であると識別された硬貨を搬送部３５から選別し、この選別された硬貨を硬貨リジェクト口３２に送るようになっている。また、オーバーフロー選別部３５ｃは、識別部３５ａにより識別された硬貨の金種に対応する、後述するリサイクル式硬貨収納部３４がフル状態またはニアフル状態である場合に当該硬貨を搬送部３５から選別し、この選別された硬貨を出金一時保留部３７（後述）に直接送るようになっている。また、選別部３６は、識別部３５ａにより識別された硬貨の金種に基づいて、搬送部３５から硬貨を金種毎に選別して後述する各リサイクル式硬貨収納部３４に金種毎に送るようになっている。
【００３６】
硬貨処理装置３０の内部には、複数（例えば６つ）のリサイクル式硬貨収納部３４が並列に設けられている。各リサイクル式硬貨収納部３４には、選別部３６により搬送部３５から選別された硬貨が収納されるようになっている。また、各リサイクル式硬貨収納部３４における硬貨収納領域の底部には繰出ベルト等の繰出部が設けられており、各リサイクル式硬貨収納部３４に収納されている硬貨は繰出部により１枚ずつ出金搬送部３４ａに繰り出されるようになっている。各リサイクル式硬貨収納部３４から繰り出された硬貨は出金搬送部３４ａにより後述する出金一時保留部３７に送られるようになっている。
【００３７】
出金一時保留部３７は、図３において実線で示すような保留位置と、保留位置から図３において左側に移動した位置である出金位置（図３において二点鎖線で表示）と、保留位置から図３において右側に移動した位置である引渡位置（図３において二点鎖線で表示）との間で水平方向に移動可能となっている。なお、通常時は出金一時保留部３７は保留位置で待機するようになっている。出金一時保留部３７が保留位置で待機しているときには、オーバーフロー選別部３５ｃにより搬送部３５から選別された硬貨や、各リサイクル式硬貨収納部３４から繰り出された硬貨が出金一時保留部３７に送られ、この出金一時保留部３７に一時的に保留されるようになる。また、筐体１１の前面側には硬貨返却口３８が設けられており、この硬貨返却口３８には開閉可能な扉３８ａ（図１参照）が設けられている。ここで、出金一時保留部３７が保留位置から出金位置に移動すると、出金一時保留部３７の底部が開かれることによりこの出金一時保留部３７に保留されている硬貨が硬貨返却口３８に送られ、当該硬貨返却口３８に硬貨が集積されるようになる。また、出金一時保留部３７に保留されている硬貨が硬貨返却口３８に送られると、扉３８ａが自動的に開くようになり、このことにより操作者は硬貨返却口３８から硬貨を取り出すことができるようになる。また、出金一時保留部３７の引渡位置の下方には収納シュート３９が設けられており、出金一時保留部３７が保留位置から引渡位置に移動すると、出金一時保留部３７の底部が開かれることによりこの出金一時保留部３７に保留されている硬貨が収納シュート３９に送られ、収納シュート３９により硬貨が貨幣収納部４０内に配置された硬貨回収カセット４２（後述）に送られるようになっている。
【００３８】
次に、貨幣収納部４０の構成について図１乃至図３を用いて説明する。図１に示すように、貨幣収納部４０は、貨幣処理機１０の筐体１１の下部に設けられている。この貨幣収納部４０は、図２および図３に示すように、紙幣を収納する紙幣回収カセット４１および硬貨を収納する硬貨回収カセット４２を有している。紙幣回収カセット４１には、紙幣処理装置２０の紙幣保留部２９に保留された紙幣が収納されるようになっている（図２参照）。一方、硬貨回収カセット４２には、出金一時保留部３７から収納シュート３９に送られた硬貨が収納されるようになっている（図３参照）。また、貨幣収納部４０の管理権限が回収業者側であると設定されている場合には、回収業者の収集特定者によって、貨幣収納部４０が筐体１１の前面側へ引き出され、この収集特定者が各カセット４１、４２自体を貨幣収納部４０から回収するようになっている。
【００３９】
紙幣回収カセット４１の上面にはシャッタ（図示せず）が設けられている。紙幣回収カセット４１が貨幣収納部４０に収容された状態でこの貨幣収納部４０が筐体１１内にセットされた後、特定の処理を行うときに、図示しない駆動装置によって駆動されてシャッタは開いた状態となる。具体的には例えば、紙幣の引渡処理が行われるときにはシャッタが開いた状態となっており、紙幣保留部２９から紙幣回収カセット４１に紙幣を送ることができる。引渡処理が終了すると、シャッタは閉じた状態となる。一方、貨幣収納部４０が筐体１１から引き出されるときには、シャッタは必ず閉じた状態となる。そして、紙幣回収カセット４１は錠を備えた図示しない扉を有し、鍵を持つ特定の権限を有する者でないと扉の錠を開くことができないようになっている。また、紙幣回収カセット４１において、紙幣がステージ４１ａ上に積層状態で集積されるようになっている。ここで、ステージ４１ａは図２における上下方向に移動可能となっており、ステージ４１ａ上に紙幣が集積される度に、当該ステージ４１ａの位置が下降するようになっている。
【００４０】
また、硬貨回収カセット４２の上面にもシャッタ（図示せず）が設けられている。硬貨回収カセット４２が貨幣収納部４０に収容された状態でこの貨幣収納部４０が筐体１１内にセットされたときに、シャッタは開いた状態となる。このため、硬貨の引渡処理が行われるときにはシャッタが開いた状態となっており、出金一時保留部３７から収納シュート３９を介して硬貨回収カセット４２に硬貨を送ることができる。一方、貨幣収納部４０が筐体１１から引き出されたときには、シャッタは閉じた状態となる。そして、硬貨回収カセット４２は錠を備えた図示しない扉を有し、鍵を持つ特定の権限を有する者でないと扉の錠を開くことができないようになっている。
【００４１】
ここで、前述のように、紙幣処理装置２０や硬貨処理装置３０は店舗側に管理権限がある。このため、紙幣処理装置２０におけるリサイクル式紙幣収納部２７や、硬貨処理装置３０におけるリサイクル式硬貨収納部３４にある紙幣や硬貨に対する様々な処理や、この紙幣や硬貨の入出金情報や在高データへのアクセスは店舗側の権限のある操作者のみが行うことができる。一方、貨幣収納部４０の管理権限については、店舗側の管理権限とするか回収業者側の管理権限とするかを選択することができるようになっている。ここで、貨幣収納部４０の管理権限が店舗側であると設定されている場合には、店舗側の権限のある操作者が貨幣収納部４０に収納されている紙幣や硬貨を当該貨幣収納部４０から取り出すことができるようになる。一方、貨幣収納部４０の管理権限が回収業者側であると設定されている場合には、貨幣収納部４０にある紙幣や硬貨の回収は回収業者の収集特定者のみが行うことができるようになる。
【００４２】
次に、貨幣処理機１０に設けられた他の様々な機構について説明する。図１に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００４３】
また、筐体１１の前面には、貨幣処理機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっている。
【００４４】
次に、追加の貨幣処理ユニットにおける追加の硬貨処理装置３０ａおよび追加の貨幣収納部４０ａの詳細について説明する。
【００４５】
追加の硬貨処理装置３０ａは、上述した硬貨処理装置３０と略同一の構成となっている。すなわち、追加の硬貨処理装置３０ａの内部構成は図３に示すような構成と略同一の構成となっている。また、追加の貨幣収納部４０ａは、追加の硬貨処理装置３０ａの下方に設けられており、上述した貨幣収納部４０における硬貨回収カセット４２と同様の構成の硬貨回収カセット４２を有している。硬貨回収カセット４２には、追加の硬貨処理装置３０ａにおける出金一時保留部３７から収納シュート３９に送られた硬貨が収納されるようになっている（図３参照）。また、貨幣収納部４０の管理権限が回収業者側であると設定されている場合には、回収業者の収集特定者によって、追加の貨幣収納部４０ａが筐体１１の前面側へ引き出され、この収集特定者が各カセット４１、４２自体を追加の貨幣収納部４０ａから回収するようになっている。
【００４６】
次に、貨幣処理機１０における各構成部材の制御を行う制御部１５について図４を用いて説明する。制御部１５は貨幣処理機１０の筐体１１内に設置されている。
【００４７】
図４に示すように、制御部１５には、紙幣処理装置２０の各構成部材（例えば、搬送部２５、識別部２６、リサイクル式紙幣収納部２７、紙幣ステージ２８、紙幣保留部２９、扉２４等）、硬貨処理装置３０の各構成部材（例えば、硬貨繰出部３３、搬送部３５、識別部３５ａ、選別部３６、リサイクル式硬貨収納部３４、出金一時保留部３７等）、貨幣収納部４０、プリンタ４３、表示部４４、操作部４５、カードリーダ４６、記憶部４７、通信インターフェース部４８等が接続されている。また、貨幣処理機１０において、追加の貨幣処理ユニットとして追加の硬貨処理装置３０ａや追加の貨幣収納部４０ａが増設されている場合には、追加の硬貨処理装置３０ａの各構成部材や追加の貨幣収納部４０ａも制御部１５に接続されるようになる。
【００４８】
制御部１５には、紙幣処理装置２０の識別部２６による紙幣の識別結果や、硬貨処理装置３０や追加の硬貨処理装置３０ａの識別部３５ａによる硬貨の識別結果が送られるようになっている。また、制御部１５には、操作部４５からの入力やカードリーダ４６によりカードから読み取られた操作者のＩＤ情報等の情報が送られるようになっている。
【００４９】
また、制御部１５は、貨幣処理機１０の操作が行われる際は操作部４５やカードリーダ４６から入力された操作者のＩＤ情報等をもとに操作者の権限の確認を行う。また、制御部１５は、紙幣処理装置２０や硬貨処理装置３０、追加の硬貨処理装置３０ａの各構成部材を制御したり、表示部４４、プリンタ４３等を制御したりするようになっている。
【００５０】
また、制御部１５は、通信インターフェース部４８を介して上位端末等の外部装置に対して信号の送受信を行うようになっている。
【００５１】
また、本実施の形態では、制御部１５には優先順位設定手段５０および誘導手段５２がそれぞれ接続されている。優先順位設定手段５０は、追加の貨幣処理ユニットとして追加の硬貨処理装置３０ａおよび追加の貨幣収納部４０ａが増設されている場合における、本体側貨幣処理ユニットおよび増設された追加の貨幣処理ユニットの優先順位を設定するようになっている。また、誘導手段５２は、硬貨の入金処理時に、本体側貨幣処理ユニットおよび増設された追加の貨幣処理ユニットのうち優先順位設定手段５０により設定された優先順位の低い貨幣処理ユニットに先に硬貨を入金するよう操作者を導くようになっている。これらの優先順位設定手段５０および誘導手段５２の機能の詳細については後述する。
【００５２】
次に、このような構成からなる貨幣処理機１０の動作について説明する。本実施の形態では、貨幣処理機１０において、紙幣や硬貨の入金処理、出金処理、補充処理、回収処理、引渡処理等を行うことができるようになっている。なお、以下に示すような貨幣処理機１０の動作は、制御部１５が紙幣処理装置２０や硬貨処理装置３０、追加の硬貨処理装置３０ａの各構成部材を制御することによって行われるようになっている。
【００５３】
まず、紙幣や硬貨の入金処理について簡単に説明する。貨幣処理機１０において紙幣や硬貨の入金処理を行うにあたり、操作者が紙幣処理装置２０の紙幣投入口２１に紙幣を投入したり硬貨処理装置３０や追加の硬貨処理装置３０ａの硬貨投入口３１に硬貨を投入したりすると、筐体１１の内部に投入された紙幣や硬貨は識別部２６、３５ａにより識別された後に各リサイクル式紙幣収納部２７や各リサイクル式硬貨収納部３４に金種毎に収納される。
【００５４】
次に、紙幣や硬貨の出金処理について簡単に説明する。貨幣処理機１０において紙幣や硬貨の出金処理を行うにあたり、操作者が出金されるべき紙幣や硬貨の金種毎の枚数や合計金額等を操作部４５により入力すると、紙幣処理装置２０の各リサイクル式紙幣収納部２７に収納されている紙幣が当該リサイクル式紙幣収納部２７から繰り出されて紙幣返却口２３に送られたり、硬貨処理装置３０や追加の硬貨処理装置３０ａの各リサイクル式硬貨収納部３４に収納されている硬貨が当該リサイクル式硬貨収納部３４から繰り出されて出金一時保留部３７に保留された後に硬貨返却口３８に送られたりする。このことにより、操作者は出金されるべき紙幣や硬貨を紙幣返却口２３や硬貨返却口３８から筐体１１の外部に取り出すことができるようになる。
【００５５】
次に、紙幣や硬貨の補充処理について簡単に説明する。紙幣や硬貨の補充処理とは、紙幣を金種毎に紙幣処理装置２０の各リサイクル式紙幣収納部２７に補充したり、硬貨を金種毎に硬貨処理装置３０や追加の硬貨処理装置３０ａの各リサイクル式硬貨収納部３４に補充したりする処理のことをいう。貨幣処理機１０において紙幣や硬貨の補充処理を行うにあたり、操作者が紙幣処理装置２０の紙幣投入口２１に紙幣を投入したり硬貨処理装置３０や追加の硬貨処理装置３０ａの硬貨投入口３１に硬貨を投入したりすると、筐体１１の内部に投入された紙幣や硬貨は識別部２６、３５ａにより識別された後に各リサイクル式紙幣収納部２７や各リサイクル式硬貨収納部３４に金種毎に収納される。
【００５６】
次に、紙幣や硬貨の回収処理について簡単に説明する。貨幣収納部４０や追加の貨幣収納部４０ａの管理権限が回収業者側に設定されている場合には、回収業者の収集特定者により操作部４５を介して回収処理の指令が制御部１５に送られたとき、制御部１５は貨幣収納部４０や追加の貨幣収納部４０ａの扉のロックを解除し、紙幣回収カセット４１や硬貨回収カセット４２を取り出し可能とする。回収業者の収集特定者が、各カセットを取り出して代わりの空のカセットと交換して扉を閉じると、回収された紙幣や硬貨の金種毎の枚数または合計金額もしくは金種毎の金額のデータである回収データが通信インターフェース部４８により外部装置（具体的には、回収業者の管理センターに設置されているコンピュータ等）に送信される。
【００５７】
次に、紙幣や硬貨の引渡処理について簡単に説明する。ここで、紙幣や硬貨の引渡処理とは、紙幣処理装置２０の各リサイクル式紙幣収納部２７に収納されている紙幣を貨幣収納部４０の紙幣回収カセット４１に送ったり、硬貨処理装置３０や追加の硬貨処理装置３０ａの各リサイクル式硬貨収納部３４に収納されている硬貨を貨幣収納部４０や追加の貨幣収納部４０ａの硬貨回収カセット４２に送ったりする処理のことをいう。貨幣収納部４０や追加の貨幣収納部４０ａの管理権限が回収業者側に設定されている場合には、各リサイクル式紙幣収納部２７や各リサイクル式硬貨収納部３４から貨幣収納部４０に送られた紙幣や硬貨の管理権限が店舗側の管理権限下から回収業者側の管理権限下に変更される。そして、リサイクル式紙幣収納部２７やリサイクル式硬貨収納部３４の在高は、引渡処理が行われた紙幣や硬貨の金額や金種毎の枚数である貨幣引渡量分だけ減少し、一方、貨幣収納部４０や追加の貨幣収納部４０ａの在高は、引渡処理が行われた紙幣や硬貨の金額や金種毎の枚数である貨幣引渡量分だけ増加する。貨幣引渡量は、日時や操作者ＩＤ等とともに引渡データとして記憶部４７に記憶される。
【００５８】
また、本実施の形態では、特定の権限を有する操作者が操作部４５等により、追加の貨幣処理ユニットとして追加の硬貨処理装置３０ａおよび追加の貨幣収納部４０ａが増設されている場合における、本体側貨幣処理ユニットおよび増設された追加の貨幣処理ユニットの優先順位（具体的には、硬貨の出金処理が行われる際の優先順位）を入力することができるようになっており、優先順位設定手段５０は、入力された情報に基づいて、本体側貨幣処理ユニットおよび増設された追加の貨幣処理ユニットの優先順位を設定するようになっている。以下、本体側貨幣処理ユニットの優先順位が、増設された追加の貨幣処理ユニットの優先順位よりも高くなるよう優先順位設定手段５０により設定された場合について説明する。
【００５９】
貨幣処理機１０において追加の貨幣処理ユニットとして追加の硬貨処理装置３０ａおよび追加の貨幣収納部４０ａが増設されているときに、本体側貨幣処理ユニットの優先順位が、増設された追加の貨幣処理ユニットの優先順位よりも高くなるよう優先順位設定手段５０により設定されている場合には、紙幣や硬貨の出金処理が行われる際に、本体側貨幣処理ユニットである紙幣処理装置２０や硬貨処理装置３０から紙幣や硬貨が優先的に出金される。そして、紙幣や硬貨の出金処理が行われる際に、本体側貨幣処理ユニットの硬貨処理装置３０においてあるリサイクル式硬貨収納部３４に収納されている硬貨の枚数が、当該リサイクル式硬貨収納部３４から出金されるべき硬貨の枚数よりも少ない場合には、追加の貨幣処理ユニットにおける追加の硬貨処理装置３０ａから硬貨が出金されるようになる。ここで、本実施の形態では、本体側貨幣処理ユニットの硬貨処理装置３０においてあるリサイクル式硬貨収納部３４に収納されている硬貨の枚数が、当該リサイクル式硬貨収納部３４から出金されるべき硬貨の枚数よりも少ない場合に、このリサイクル式硬貨収納部３４に対応する金種の硬貨のみが追加の硬貨処理装置３０ａから出金されるような運用、または全ての金種の硬貨が追加の硬貨処理装置３０ａから出金されるような運用が行われるようになる。前者の運用が行われる場合には、操作者は本体側貨幣処理ユニットにおける硬貨処理装置３０および追加の貨幣処理ユニットにおける追加の硬貨処理装置３０ａの両方の硬貨返却口３８から硬貨を取り出す必要があるが、追加の硬貨処理装置３０ａにおける各リサイクル式硬貨収納部３４の硬貨の在高の減少量を少なくすることができ、よって貨幣処理機１０における硬貨のリサイクル効率を高めることができるようになる。一方、後者の運用が行われる場合には、操作者は追加の貨幣処理ユニットにおける追加の硬貨処理装置３０ａの硬貨返却口３８のみから硬貨を取り出すだけでよいが、追加の硬貨処理装置３０ａにおける各リサイクル式硬貨収納部３４の硬貨の在高の減少量が多くなってしまう。どちらの運用を行うかは、特定の権限を有する操作者が予め操作部４５により設定することができるようになっている。また、本体側貨幣処理ユニットの硬貨処理装置３０においてあるリサイクル式硬貨収納部３４に収納されている硬貨の枚数が、当該リサイクル式硬貨収納部３４から出金されるべき硬貨の枚数よりも少ない場合に、異なる出金パターンを選択することにより本体側貨幣処理ユニットの硬貨処理装置３０のみで硬貨の出金を行うことができるときには、本体側貨幣処理ユニットの硬貨処理装置３０のみで硬貨の出金を行うようにしてもよい。
【００６０】
また、本体側貨幣処理ユニットの硬貨処理装置３０および追加の貨幣処理ユニットにおける追加の硬貨処理装置３０ａの両方から硬貨を出金する場合に、本体側貨幣処理ユニットの硬貨処理装置３０および追加の貨幣処理ユニットにおける追加の硬貨処理装置３０ａにおいて同時に硬貨の出金処理を行ってもよいし、あるいは、本体側貨幣処理ユニットの硬貨処理装置３０において硬貨の出金処理を先に行い、操作者によるこの硬貨処理装置３０の硬貨返却口３８からの硬貨の取り出しが検知された後に、追加の貨幣処理ユニットにおける追加の硬貨処理装置３０ａにおいて硬貨の出金処理が行われるようになっていてもよい。また、後者の処理が行われる場合には、操作者による硬貨処理装置３０の硬貨返却口３８からの硬貨の取り出しが検知された後に、表示部４４に、追加の貨幣処理ユニットにおける追加の硬貨処理装置３０ａにおいて硬貨の出金処理が行われる旨のメッセージが例えばポップアップ表示されるようになっていてもよい。このことにより、追加の貨幣処理ユニットにおける追加の硬貨処理装置３０ａから出金された硬貨を操作者が硬貨返却口３８から取り忘れてしまうことを防止することができるようになる。
【００６１】
また、貨幣処理機１０において追加の貨幣処理ユニットとして追加の硬貨処理装置３０ａおよび追加の貨幣収納部４０ａが増設されているときに、本体側貨幣処理ユニットの優先順位が、増設された追加の貨幣処理ユニットの優先順位よりも高くなるよう優先順位設定手段５０により設定されている場合において、硬貨の入金処理が行われる際には、優先順位の低い追加の貨幣処理ユニット（具体的には、追加の硬貨処理装置３０ａ）に先に硬貨を入金するよう誘導手段５２によって操作者が導かれるようになっている。より詳細に説明すると、追加の硬貨処理装置３０ａの各リサイクル式硬貨収納部３４に空き容量がある場合には、この追加の硬貨処理装置３０ａに先に硬貨を入金するよう誘導手段５２によって操作者が導かれるが、追加の硬貨処理装置３０ａの各リサイクル式硬貨収納部３４がフル状態である場合には、本体側貨幣処理ユニットにおける硬貨処理装置３０に硬貨を入金するよう誘導手段５２によって操作者が導かれるようになる。また、硬貨処理装置３０の各リサイクル式硬貨収納部３４もフル状態である場合には、この硬貨処理装置３０に入金された硬貨は当該硬貨処理装置３０の下方に設けられている貨幣収納部４０の硬貨回収カセット４２に送られるようになる。
【００６２】
優先順位の低い追加の貨幣処理ユニット（具体的には、追加の硬貨処理装置３０ａ）に先に硬貨を入金するよう誘導手段５２によって操作者が導かれる際に、硬貨処理装置３０ではなく追加の硬貨処理装置３０ａに硬貨を入金する旨のガイダンス画面が表示部４４に表示されるようになり、このことにより操作者に対して報知が行われる。このように、表示部４４は、操作者に対して報知を行うための報知手段として機能し、誘導手段５２は、報知手段によって操作者に対して報知を行うことにより当該操作者を導くようになっている。なお、操作者に対して報知を行うための報知手段は表示部４４に限定されることはない。操作者に対して報知を行うための報知手段として、表示部４４による表示以外の方法（例えば、音声）により操作者に報知を行うものが用いられてもよい。
【００６３】
また、硬貨の入金処理が行われる際に、優先順位設定手段５０による設定に基づいて決められる硬貨が入金されるべき貨幣処理ユニットとは異なる貨幣処理ユニットに硬貨が入金された場合には、誤った貨幣処理ユニットに硬貨が投入された旨のメッセージが表示部４４に表示されるとともに、硬貨が入金されるべき貨幣処理ユニット（すなわち、正しい貨幣処理ユニット）の硬貨処理装置における硬貨投入口３１に硬貨を投入することを操作者に促す画面が表示部４４に表示されるようになっていてもよい。具体的に説明すると、上述したように、本体側貨幣処理ユニットの優先順位が、増設された追加の貨幣処理ユニットの優先順位よりも高くなるよう優先順位設定手段５０により設定されている場合において、硬貨の入金処理が行われる際には、優先順位の低い追加の貨幣処理ユニット（具体的には、追加の硬貨処理装置３０ａ）に先に硬貨を入金する旨のガイダンス画面が表示部４４に表示されるようになるが、操作者が誤って優先順位の高い本体側貨幣処理ユニット（具体的には、硬貨処理装置３０）に先に硬貨を入金してしまった場合には、本体側貨幣処理ユニットへの硬貨の入金が誤りである旨のメッセージが表示部４４に表示されるとともに、硬貨が入金されるべき追加の貨幣処理ユニットにおける追加の硬貨処理装置３０ａの硬貨投入口３１に硬貨を投入することを操作者に促す画面が表示部４４に表示されるようになる。
【００６４】
また、他の例として、誘導手段５２は、硬貨処理装置３０の硬貨投入口３１に設けられたシャッタ３１ａおよび追加の硬貨処理装置３０ａの硬貨投入口３１に設けられたシャッタ３１ａのうち追加の硬貨処理装置３０ａ側のシャッタ３１ａのみを動作させてこの追加の硬貨処理装置３０ａの硬貨投入口３１のみを開くようにしてもよい。このことにより、硬貨の入金処理を行おうとする操作者は追加の硬貨処理装置３０ａの硬貨投入口３１に硬貨を投入するようになる。また、更に他の例として、硬貨処理装置３０の硬貨投入口３１および追加の硬貨処理装置３０ａの硬貨投入口３１の近傍にそれぞれＬＥＤランプが設けられており、誘導手段５２は追加の硬貨処理装置３０ａの硬貨投入口３１の近傍に設けられているＬＥＤランプのみを点灯させることにより操作者を追加の硬貨処理装置３０ａに誘導するようになっていてもよい。
【００６５】
このように、硬貨の入金処理が行われる際に、優先順位の低い追加の貨幣処理ユニット（具体的には、追加の硬貨処理装置３０ａ）に先に硬貨を入金するよう誘導手段５２によって操作者が導かれるようになるため、追加の硬貨処理装置３０ａの各リサイクル式硬貨収納部３４を優先的にフル状態とすることができるようになり、よって貨幣処理機１０における硬貨のリサイクル効率を高めることができるようになる。すなわち、上述したように、硬貨の出金処理が行われる際に本体側貨幣処理ユニットの硬貨処理装置３０から優先的に硬貨が出金され、追加の硬貨処理装置３０ａの各リサイクル式硬貨収納部３４を極力フル状態に維持することができるようになる。このように、優先順位の低い追加の貨幣処理ユニットにおける追加の硬貨処理装置３０ａの各リサイクル式硬貨収納部３４をできるだけフル状態に維持し、優先順位の高い本体側貨幣処理ユニットにおける追加の硬貨処理装置３０ａの各リサイクル式硬貨収納部３４に収納されている硬貨のみを硬貨の出金処理でリサイクル利用する場合に、硬貨のリサイクル効率が高くなる。
【００６６】
また、貨幣処理機１０において追加の貨幣処理ユニットとして追加の硬貨処理装置３０ａおよび追加の貨幣収納部４０ａが増設されているときに、本体側貨幣処理ユニットの優先順位が、増設された追加の貨幣処理ユニットの優先順位よりも高くなるよう優先順位設定手段５０により設定されている場合において、硬貨の補充処理が行われる際には、優先順位の低い追加の貨幣処理ユニット（具体的には、追加の硬貨処理装置３０ａ）に先に硬貨を補充するよう誘導手段５２によって操作者が導かれるようになっている。そして、追加の硬貨処理装置３０ａの各リサイクル式硬貨収納部３４がフル状態となった場合には、オーバーフロー分の硬貨を追加の硬貨処理装置３０ａから返却し、この返却されたオーバーフロー分の硬貨を含め本体側貨幣処理ユニットの硬貨処理装置３０に硬貨を補充するよう誘導手段５２によって操作者が導かれる。このように、硬貨の補充処理が行われる際に、優先順位の低い追加の貨幣処理ユニット（具体的には、追加の硬貨処理装置３０ａ）に先に硬貨を補充するよう誘導手段５２によって操作者が導かれるようになるため、追加の硬貨処理装置３０ａの各リサイクル式硬貨収納部３４を優先的にフル状態とすることができるようになり、よって貨幣処理機１０における硬貨のリサイクル効率を高めることができるようになる。
【００６７】
また、貨幣処理機１０において追加の貨幣処理ユニットとして追加の硬貨処理装置３０ａおよび追加の貨幣収納部４０ａが増設されているときに、本体側貨幣処理ユニットの優先順位が、増設された追加の貨幣処理ユニットの優先順位よりも高くなるよう優先順位設定手段５０により設定されている場合において、硬貨の回収処理が行われる際には、貨幣収納部４０や追加の貨幣収納部４０ａから硬貨回収カセット４２が取り出される前に、売上金分の硬貨の引渡処理が行われるようになる。ここで、本実施の形態では、硬貨の引渡処理が行われる際に、本体側貨幣処理ユニットおよび増設された追加の貨幣処理ユニットのうち優先順位設定手段５０により設定された優先順位の高い貨幣処理ユニット（すなわち、本体側貨幣処理ユニット）における硬貨処理装置３０の各リサイクル式硬貨収納部３４から貨幣収納部４０の硬貨回収カセット４２（回収部）に売上金分の硬貨が優先的に送られるようになっている。なお、硬貨の引渡処理が行われる際に、釣銭準備金として各リサイクル式硬貨収納部３４に残すべき硬貨については貨幣収納部４０の硬貨回収カセット４２への引き渡しは行われない。
【００６８】
より詳細に説明すると、硬貨の引渡処理が行われる際に、最初に本体側貨幣処理ユニットにおける硬貨処理装置３０の各リサイクル式硬貨収納部３４から貨幣収納部４０の硬貨回収カセット４２に売上金分の硬貨が送られるようになる。そして、硬貨処理装置３０におけるあるリサイクル式硬貨収納部３４に収納されている硬貨の枚数が釣銭準備金として当該リサイクル式硬貨収納部３４に残すべき硬貨の枚数まで減少すると、不足分の硬貨が追加の硬貨処理装置３０ａのリサイクル式硬貨収納部３４から追加の貨幣収納部４０ａの硬貨回収カセット４２に送られるようになる。ここで、売上金としての貨幣が紙幣処理装置２０や硬貨処理装置３０から貨幣収納部４０に引き渡される際に、高額の貨幣である紙幣が主に紙幣処理装置２０から貨幣収納部４０に引き渡されるため（具体的には、売上金額が例えば５０００円である場合には５００円硬貨が１０枚引き渡されるのではなく５０００円紙幣が１枚引き渡されるようになる）、大量の硬貨が硬貨処理装置３０から貨幣収納部４０に引き渡されることはない。このため、硬貨の引渡処理が行われる際に、硬貨処理装置３０におけるあるリサイクル式硬貨収納部３４に収納されている硬貨の枚数が釣銭準備金として当該リサイクル式硬貨収納部３４に残すべき硬貨の枚数まで減少するような事態が発生する頻度は低いと考えられる。このことにより、回収業者の収集特定者は、貨幣収納部４０および追加の貨幣収納部４０ａのうち、貨幣収納部４０のみから硬貨回収カセット４２を取り出してこの硬貨回収カセット４２だけを回収すればよくなり、追加の貨幣収納部４０ａから硬貨回収カセット４２を取り出す必要がなくなる。また、本実施の形態では、紙幣や硬貨の回収処理が行われる際に、回収されるべき紙幣回収カセット４１や硬貨回収カセット４２の情報が表示部４４に表示されるようになっていてもよい。具体的には、回収されるべき紙幣回収カセット４１や硬貨回収カセット４２の個数や、どの紙幣回収カセット４１や硬貨回収カセット４２を回収すべきという情報が表示部４４に表示されるようになる。また、回収されるべき紙幣回収カセット４１や硬貨回収カセット４２に対応する貨幣収納部４０や追加の貨幣収納部４０ａのみの前面扉が開いたり、回収されるべき紙幣回収カセット４１や硬貨回収カセット４２のみが貨幣収納部４０や追加の貨幣収納部４０ａの内部から前面側に飛び出たりするようになっていてもよい。
【００６９】
このように、本実施の形態では、本体側貨幣処理ユニットの優先順位が、増設された追加の貨幣処理ユニットの優先順位よりも高くなるよう優先順位設定手段５０により設定された場合には、優先順位の低い追加の貨幣処理ユニットにおける追加の硬貨処理装置３０ａの各リサイクル式硬貨収納部３４における硬貨の収納状態を常にフルに近い状態に維持することができるため、貨幣処理機１０におけるリサイクル効率を向上させることができるようになる。なお、優先順位設定手段５０により、増設された追加の貨幣処理ユニットの優先順位が、本体側貨幣処理ユニットの優先順位よりも高くなるよう設定された場合には、本体側貨幣処理ユニットの硬貨処理装置３０の各リサイクル式硬貨収納部３４における硬貨の収納状態を常にフルに近い状態に維持することができるようになり、この場合にも貨幣処理機１０におけるリサイクル効率を向上させることができるようになる。
【００７０】
また、本実施の形態では、上述したように、貨幣処理機１０において追加の硬貨処理装置３０ａおよび追加の貨幣収納部４０ａが増設された場合に、貨幣収納部４０および追加の貨幣収納部４０ａの管理権限を、店舗側の管理権限とするか回収業者側の管理権限とするかを選択することができるようになっている。具体的には、貨幣収納部４０の紙幣回収カセット４１および硬貨回収カセット４２、ならびに追加の貨幣収納部４０ａの硬貨回収カセット４２について、それぞれ店舗側の管理権限とするか回収業者側の管理権限とするかを選択することができるようになっている。より詳細に説明すると、本体側貨幣処理ユニットにおける貨幣収納部４０の紙幣回収カセット４１および硬貨回収カセット４２の管理権限を回収業者側とし、増設された追加の貨幣処理ユニットにおける追加の貨幣収納部４０ａの硬貨回収カセット４２の管理権限を店舗側としてもよい。あるいは、本体側貨幣処理ユニットにおける貨幣収納部４０の紙幣回収カセット４１および硬貨回収カセット４２の管理権限を店舗側とし、増設された追加の貨幣処理ユニットにおける追加の貨幣収納部４０ａの硬貨回収カセット４２の管理権限を回収業者側としてもよい。このような管理権限の選択は、特定の権限を有する操作者が操作部４５に行うことができるようになる。
【００７１】
ここで、従来の貨幣処理機では、貨幣収納部（具体的には、紙幣回収カセットや硬貨回収カセット）の管理権限は全て回収業者側であった。このため、貨幣収納部の紙幣回収カセットや硬貨回収カセットに収納されている紙幣や硬貨を、釣銭準備金として再利用することができないという問題があった。これに対し、本実施の形態では、貨幣収納部４０および追加の貨幣収納部４０ａの管理権限を、店舗側の管理権限とするか回収業者側の管理権限とするかを選択することができるため、店舗の店員は、店舗側の管理権限に設定された貨幣収納部４０や追加の貨幣収納部４０ａの硬貨回収カセット４２から硬貨を取り出して硬貨投入口３１に投入することにより、硬貨回収カセット４２に収納されている硬貨を各リサイクル式硬貨収納部３４に戻すことができるため、当該硬貨を釣銭準備金として再利用することができ、よって店舗の運用面で硬貨の取り扱いに柔軟性を持たせることができるようになる。
【００７２】
また、本体側貨幣処理ユニットにおける貨幣収納部４０（具体的には、硬貨回収カセット４２）および増設された追加の貨幣処理ユニットにおける追加の貨幣収納部４０ａ（具体的には、硬貨回収カセット４２）のうち店舗側の管理権限が設定されている硬貨回収カセット４２に収納されている硬貨に係る情報（具体的には、硬貨回収カセット４２に収納されている硬貨の金種毎の枚数や合計金額）が制御部１５により出力され、この出力された情報が表示部４４に表示されたり通信インターフェース部４８を介して外部装置に送信されたりするようになっていてもよい。この場合には、制御部１５は、本体側貨幣処理ユニットにおける貨幣収納部４０および増設された追加の貨幣処理ユニットにおける追加の貨幣収納部４０ａのうち店舗側の管理権限が設定されている貨幣収納部の硬貨回収カセット４２に収納されている硬貨に係る情報を出力する情報出力部として機能するようになる。
【００７３】
また、従来の貨幣処理機では、紙幣処理装置や硬貨処理装置の例えば搬送部において紙幣や硬貨の詰まり等の異常が発生した場合でも、貨幣収納部の紙幣回収カセットや硬貨回収カセットの在高には影響がないため貨幣収納部から紙幣回収カセットや硬貨回収カセットを回収することができるようになっていた。また、貨幣収納部の紙幣回収カセットや硬貨回収カセットに紙幣や硬貨を収納させる際に収納エラーが発生した場合でも、これらの紙幣回収カセットや硬貨回収カセットの在高は確定しているため、締め処理を行うことができるようになっていた。なお、締め処理とは、店舗の営業時間が終了した後に、店舗の営業時間中に紙幣回収カセットや硬貨回収カセットに収納された紙幣や硬貨の金種毎の枚数や合計金額等を集計する処理のことをいう。具体的に説明すると、特定の権限を有する操作者により操作部４５を介して制御部１５に対して締め命令がなされると、対象期間内に（具体的には前回の締め処理から今回の締め処理までの間に）、引渡処理によって紙幣回収カセット４１に収納された紙幣および硬貨回収カセット４２に収納された硬貨の金種毎の枚数または合計金額もしくは金種毎の金額のデータである締めデータが集計されるようになる。しかしながら、従来の貨幣処理機では、紙幣処理装置や硬貨処理装置において上述した異常が発生したときに、このような異常を解消するためのエラー解除動作が操作者により開始されると、エラー解除動作を中断して貨幣収納部から紙幣回収カセットや硬貨回収カセットを回収したり締め処理を行ったりすることができないという問題があった。
【００７４】
これに対し、本実施の形態の貨幣処理機１０では、紙幣処理装置２０や硬貨処理装置３０において上述した異常が発生した場合において、このような異常を解消するためのエラー解除動作が操作者により開始されても、エラー解除動作を中断して貨幣収納部４０から紙幣回収カセット４１や硬貨回収カセット４２を回収したり締め処理を行ったりすることができるようになっている。具体的には、紙幣処理装置２０や硬貨処理装置３０において異常が発生し、このような異常を解消するためのエラー解除動作が操作者により開始されると、表示部４４には図５（ａ）に示すようなエラー解除動作のガイダンス画面（具体的には、異常を解消する方法を示すガイダンス画面）が表示されるようになる。この際に、表示部４４には「中断」ボタンも表示されるようになる。そして、操作者が操作部４５により「中断」ボタンに例えばカーソルキーを合わせることによりこの「中断」ボタンを押下すると表示部４４には図５（ｂ）に示すような紙幣処理装置２０や硬貨処理装置３０を元の状態に戻すためのガイダンス画面が表示されるようになり、エラー解除動作が中断される。具体的には、紙幣返却口２３の扉２４（紙幣返却扉）を閉じることを操作者に促す旨のガイダンス画面が表示されるようになり、この扉２４を閉じるとエラー解除動作が中断されて貨幣収納部４０から紙幣回収カセット４１や硬貨回収カセット４２を回収したり締め処理を行ったりすることができるようになる。このことにより、貨幣収納部４０から紙幣回収カセット４１や硬貨回収カセット４２を回収しようとする回収業者の収集特定者を長い間待たせてしまうことを防止することができるようになる。また、扉２４が閉じられると、表示部４４には図５（ｃ）に示すようなエラー解除動作の開始画面が表示されるようになり、このような画面において操作者が操作部４５により「解除開始」ボタンに例えばカーソルキーを合わせることによりこの「解除開始」ボタンを押下するとエラー解除動作を再開することができるようになる。
【００７５】
このように、本実施の形態の貨幣処理機１０では、紙幣処理装置２０や硬貨処理装置３０において上述した異常が発生した場合において、このような異常を解消するためのエラー解除動作が操作者により開始されても、エラー解除動作を中断することができ、また、エラー解除動作を中断する際に紙幣処理装置２０や硬貨処理装置３０を元の状態に戻すためのガイダンス画面を表示部４４に表示させることができるため、操作者にとっての利便性を向上させることができる。
【００７６】
以上のような構成からなる本実施の形態の貨幣処理機１０によれば、貨幣の入金処理および出金処理を行う本体側貨幣処理ユニットを備えるとともに、少なくとも貨幣の出金処理を行う追加の貨幣処理ユニットを増設可能となっているため、特定の金種の貨幣が数多く出金される場合でも貨幣処理機１０の内部に収納されている当該金種の貨幣が不足してしまうことを防止することができる。また、本体側貨幣処理ユニットは、紙幣および硬貨のうち少なくとも硬貨の入金処理および出金処理を行うようになっており、追加の貨幣処理ユニットは、貨幣の入金処理も行うようになっており、少なくとも硬貨の入金処理および出金処理を行うようになっている。ここで、本実施の形態による貨幣処理機１０が例えば宅配ドライバーにより使用される場合には、宅配物を届ける際に当該宅配物の代金を受領したときに備えて代引引換用の釣銭としての貨幣を貨幣処理機から出金させており、このような代引引換用の釣銭としての貨幣としては、決まった金種毎の枚数のパターンがあるが、硬貨については金種毎の枚数のパターンに偏りがある。すなわち、代引引換用の釣銭としての貨幣を当該貨幣処理機１０から出金させる際に、特定の金種の硬貨が数多く出金されるようになる。このため、貨幣処理機１０の硬貨処理装置３０におけるリサイクル式硬貨収納部３４に収納されている当該金種の硬貨が不足してしまうことを防止するために、貨幣の入金処理や出金処理を行う追加の貨幣処理ユニットとして追加の硬貨処理装置３０ａを貨幣処理機１０に増設することが望ましい。なお、本体側貨幣処理ユニットは、硬貨のみの入金処理および出金処理を行うものに限定されることはなく、本実施の形態の貨幣処理機１０のように本体側貨幣処理ユニットとして紙幣および硬貨の両方の入金処理および出金処理を行うものが用いられてもよい。また、貨幣の入金処理や出金処理を行う追加の貨幣処理ユニットとして追加の硬貨処理装置３０ａではなく追加の紙幣処理装置（図示せず）を貨幣処理機１０に増設してもよい。
【００７７】
また、本実施の形態の貨幣処理機１０においては、上述したように、追加の貨幣処理ユニットが増設されている場合における、本体側貨幣処理ユニットおよび増設された追加の貨幣処理ユニットの優先順位を設定する優先順位設定手段５０が設けられている。この場合には、本体側貨幣処理ユニットおよび増設された追加の貨幣処理ユニットのうち優先順位の低い貨幣処理ユニットの硬貨処理装置３０、３０ａの各リサイクル式硬貨収納部３４における硬貨の収納状態を常にフルに近い状態に維持することができるため、貨幣処理機１０におけるリサイクル効率を向上させることができるようになる。また、貨幣処理機１０には、貨幣の入金処理時に、本体側貨幣処理ユニットおよび増設された追加の貨幣処理ユニットのうち優先順位設定手段５０により設定された優先順位の低い貨幣処理ユニットに先に貨幣を入金するよう操作者を導くための誘導手段５２が設けられている。このことにより、貨幣の入金処理が行われる際に、優先順位の低い貨幣処理ユニットの硬貨処理装置３０、３０ａの各リサイクル式硬貨収納部３４に硬貨を優先的に収納させることができるため、優先順位の低い貨幣処理ユニットの硬貨処理装置３０、３０ａの各リサイクル式硬貨収納部３４における硬貨の収納状態をより一層フルに近い状態に維持することができるようになる。
【００７８】
また、本実施の形態では、貨幣の出金処理時に、本体側貨幣処理ユニットおよび増設された追加の貨幣処理ユニットのうち優先順位設定手段５０により設定された優先順位の高い貨幣処理ユニットから先に貨幣が出金されるようになっている。また、本実施の形態では、貨幣収納部４０や追加の貨幣収納部４０ａ（回収部）に収納されている貨幣の回収処理時に、本体側貨幣処理ユニットおよび増設された追加の貨幣処理ユニットのうち優先順位設定手段５０により設定された優先順位の高い貨幣処理ユニットの各収納繰出部（具体的には、各リサイクル式硬貨収納部３４）から回収部（具体的には、貨幣収納部４０や追加の貨幣収納部４０ａの硬貨回収カセット４２）に売上金分の貨幣（具体的には、硬貨）が優先的に送られるようになっている。これらの技術的事項によれば、貨幣の出金処理や回収処理が行われる際に、本体側貨幣処理ユニットおよび増設された追加の貨幣処理ユニットのうち優先順位の低い貨幣処理ユニットの硬貨処理装置３０、３０ａの各リサイクル式硬貨収納部３４における硬貨の収納状態を常にフルに近い状態に維持することができるため、貨幣処理機１０におけるリサイクル効率を向上させることができるようになる。
【００７９】
なお、本発明による貨幣処理機は、上記の態様に限定されることはなく、様々な変更を加えることができる。
【００８０】
例えば、追加の貨幣処理ユニット（具体的には、追加の硬貨処理装置３０ａおよび追加の貨幣収納部４０ａ）は、貨幣の入金処理および出金処理を行うものに限定されることはない。追加の貨幣処理ユニットとして、貨幣の出金処理のみが行われるものが用いられてもよい。
【００８１】
また、追加の貨幣処理ユニット（具体的には、追加の硬貨処理装置３０ａおよび追加の貨幣収納部４０ａ）は、貨幣処理機における紙幣処理装置２０側の側面に横付けされることに限定されることはない。変形例に係る貨幣処理機において、追加の貨幣処理ユニットが、貨幣処理機における硬貨処理装置３０側の側面に横付けされるようになっていてもよい。
【００８２】
また、本体側貨幣処理ユニットおよび増設された追加の貨幣処理ユニットにおいて、共通の貨幣収納部４０が用いられるようになっていてもよい。すなわち、変形例に係る貨幣処理機において追加の貨幣処理ユニットが増設された場合でも、図１に示す貨幣処理機１０と比較して追加の貨幣収納部４０ａの設置が省略されるようになっていてもよい。この場合には、硬貨の引渡処理が行われる際に、本体側貨幣処理ユニットにおける硬貨処理装置３０および増設された追加の貨幣処理ユニットにおける追加の硬貨処理装置３０ａから、それぞれ硬貨処理装置３０の下方に位置する貨幣収納部４０の硬貨回収カセット４２に硬貨が送られるようになる。このことにより、追加の貨幣処理ユニットが増設される際に追加の貨幣収納部４０ａも設置した場合と比較して、硬貨の回収処理において回収されるべき硬貨回収カセット４２の数は１つとなるため、硬貨回収カセット４２の取り忘れを防止することができるようになる。
【００８３】
また、更に別の例として、本体側貨幣処理ユニットおよび増設された追加の貨幣処理ユニットにおいて、貨幣収納部４０および追加の貨幣収納部４０ａにそれぞれＬＥＤランプが設けられていてもよい。この場合には、硬貨の回収処理において、回収されるべき硬貨回収カセット４２が存在する貨幣収納部４０、４０ａのＬＥＤランプが点灯するようになり、このことにより操作者はどの硬貨回収カセット４２を回収すべきかを一目で分かるようになる。また、回収されるべき硬貨回収カセット４２が操作者により貨幣収納部４０や追加の貨幣収納部４０ａから取り出されなかった場合に、警告音等により操作者に対して警告が行われるようになっていてもよい。
【００８４】
また、更に別の例として、本体側貨幣処理ユニットに釣銭準備金としての貨幣が入金されるようにし、増設された追加の貨幣処理ユニットに売上金としての貨幣が入金されるようにしてもよい。この場合には、操作者は、本体側貨幣処理ユニットおよび増設された追加の貨幣処理ユニットのうちいずれか一方の貨幣処理ユニットで貨幣の入金処理を行い、この貨幣処理ユニットにおける貨幣の入金処理が完了した後、他方の貨幣処理ユニットで貨幣の入金処理を行うようになる。例えば、操作者が先に本体側貨幣処理ユニットに貨幣を入金する場合、当該操作者は手持ちの貨幣を全て本体側貨幣処理ユニットに投入すると、本体側貨幣処理ユニットにおいて、当日に操作者に払い出された釣銭準備金分の貨幣が入金され、それ以外の貨幣（具体的には、売上金分の貨幣）が本体側貨幣処理ユニットから返却される。その後、操作者は本体側貨幣処理ユニットから返却された貨幣を追加の貨幣処理ユニットに投入することでこの貨幣が追加の貨幣処理ユニットに入金されるようになる。このようにして、釣銭準備金としての貨幣および売上金としての貨幣がそれぞれ本体側貨幣処理ユニットおよび追加の貨幣処理ユニットに入金されるようになる。
【００８５】
また、更に別の例として、本体側貨幣処理ユニット側の売上日および増設された追加の貨幣処理ユニット側の売上日をそれぞれ制御部１５において設定し、本体側貨幣処理ユニットおよび追加の貨幣処理ユニットのうち当日の売上日として設定されている側から先に貨幣を入金するよう誘導手段５２により操作者が誘導されるようにしてもよい。
【符号の説明】
【００８６】
１０    貨幣処理機
１１    筐体
１５    制御部
２０    紙幣処理装置
２１    紙幣投入口
２２    紙幣リジェクト口
２３    紙幣返却口
２４    扉
２５    搬送部
２６    識別部
２７、２７ａ〜２７ｃ  リサイクル式紙幣収納部
２７ｐ  ドラム
２８    紙幣ステージ
２９    紙幣保留部
２９ａ  一時保留板
２９ｂ  押さえ部材
３０    硬貨処理装置
３０ａ  追加の硬貨処理装置
３１    硬貨投入口
３１ａ  シャッタ
３２    硬貨リジェクト口
３３    硬貨繰出部
３４    リサイクル式硬貨収納部
３４ａ  出金搬送部
３５    搬送部
３５ａ  識別部
３５ｂ  リジェクト選別部
３５ｃ  オーバーフロー選別部
３６    選別部
３７    出金一時保留部
３８    硬貨返却口
３８ａ  扉
３９    収納シュート
４０    貨幣収納部
４０ａ  追加の貨幣収納部
４１    紙幣回収カセット
４１ａ  ステージ
４２    硬貨回収カセット
４３    プリンタ
４４    表示部
４５    操作部
４６    カードリーダ
４７    記憶部
４８    通信インターフェース部
５０    優先順位設定手段
５２    誘導手段
【図１】
2018049456.tif 000003
【図２】
2018049456.tif 000004
【図３】
2018049456.tif 000005
【図４】
2018049456.tif 000006
【図５】
2018049456.tif 000007